(57)【要約】本発明は鼻腔洗浄水の噴射容器に関するもので、外キャップの一側回転を通じたロック機能を提供して、携帯時外キャップが外部圧力によって加圧されることを基本的に遮断することにより、洗浄水が不必要に消耗することを防止できるだけでなく、オーバーキャップの内部が汚染されることを防止できることが特徴である。【選択図】図１
2015516926.tif 000002
【特許請求の範囲】
【請求項１】
内容物が収容される容器本体と；
前期容器本体の上部を覆って結合され、側面にポンピング防止突起が突出形成される内キャップと；
前期内キャップの上部を覆って回転可能なように結合され、回転による前期ポンピング防止突起の位置によって昇下降移動されるように構成される外キャップと；
前期外キャップの昇下降移動によるポンピング作用を通じて内容物を外部へ排出するポンピング部材と；及び
前期外キャップの上部を覆って結合されるオーバーキャップと；を含むことを特徴とする鼻腔洗浄水の噴射容器。
【請求項２】
前期外キャップは、前期内キャップの上部を覆って結合され、下端一部が切開されて回転によって、前期ポンピング防止突起が挿入される挿入溝が形成される本体と，前期本体の上端中央部から上方向へ突出形成されて前期ポンピング部材と結合され、ポンピング部材に圧力を加える結合管を含むことを特徴とする請求項１に記載の鼻腔洗浄水の噴射容器。
【請求項３】
前期本体の内周面には前期ポンピング防止突起が挿入されるポンピングガイド溝が形成され、前期ポンピングガイド溝は本体の下降によるポンピング防止突起との干渉が発生しないようにポンピング防止突起と長さが同一であるか、もっと長く形成されることを特徴とする請求項２に記載の鼻腔洗浄水の噴射容器。
【請求項４】
前期ポンピングガイド溝は外キャップの回転時に前期ポンピング防止突起との干渉が発生しないように、一側が緩やかな傾斜面を形成するように構成されることを特徴とする請求項３に記載の鼻腔洗浄水の噴射容器。
【請求項５】
前期本体の内周面には、前期外キャップの回転時に前期ポンピング防止突起との干渉が発生しないように緩やかな傾斜面を形成する回転ガイド突起が形成されることを特徴とする請求項２に記載の鼻腔洗浄水の噴射容器。
【請求項６】
前期外キャップの外周面には回転方向を表示する回転表示部が形成されることを特徴とする請求項１に記載の鼻腔洗浄水の噴射容器。
【請求項７】
前期内キャップの上部には前期外キャップの上昇を制限する係止突起が形成されて、前期外キャップの内側には前期係止突起と当接する部分に係止部が形成されることを特徴とする請求項１に記載の鼻腔洗浄水の噴射容器。
【発明の詳細な説明】
【技術分野】
【０００１】
本発明は、鼻腔洗浄水の噴射容器に関するもので、より詳細には、外キャップの一側回転によるロック機能を提供し、携帯時、外キャップが外部圧力によって加圧されることを基本的に遮断することにより、洗浄水が不必要に消耗されることを防止できるだけでなく、オーバーキャップの内部が汚染されることを防止できる鼻腔洗浄水の噴射容器に関するものである。
【背景技術】
【０００２】
一般的に、鼻腔洗浄水の噴射容器とは、鼻腔洗浄水を鼻腔内に投入して鼻腔内の各種疾患を治療したり不純物を除去したりして、乾燥することを防止するための容器で、鼻腔とは、前方は外鼻孔によって外界に通じ、後方は後鼻孔によって咽頭と通じている場所をいう。
【０００３】
前記のような鼻腔に投入される鼻腔洗浄水は、一般的には３％の食塩水を多く使用する方であるが、近来には、竹塩など各種の成分を含有して機能性のある鼻腔洗浄水が開発されている。
【０００４】
最近になって、自動車排気ガスによる大気汚染、春期の花粉と黄砂、季節の変り目に流行する風邪ウイルスなどが、口と鼻を通じて吸入されることによって、人体に有害な物質が蓄積されたり、各種呼吸器疾患と花粉症および風邪を誘発する事が多く発生しており、これによって、いびき症状を示す人らがまた増えている。
【０００５】
これらの各種呼吸器疾患に鼻腔洗浄が効果あることは多くの医学報告書を通じて、すでに明らかになっており、各種呼吸器疾患を患っている患者らは、一日に数回ずつ鼻腔を洗浄している。
【０００６】
以下では、登録実用新案第２０−０１６５６６７号を参照して、従来の鼻腔洗浄水の噴射容器を説明する。前期登録実用新案を参照すると、従来の鼻腔洗浄水の噴射容器は、洗浄液が収容される容器（１００）と、前期容器（１００）の口部にねじ結合される蓋（２００）と、前期蓋（２００）に上下移動可能に結合され、指でかけて上下に移動させるための掛け部（３１０）が下側部に形成されて、内側上部に貯液室（３２０）が形成されるとともに、上端部には洗浄液が噴出される噴出孔（３２ｌ）が形成されたノズル（３００）と、前期ノズル（３００）の貯液室（３２０）に挿入されて、洗浄液が細くて均一に噴射されるようにする調節棒（３３０）と、前期ノズル（３００）が上下に移動されることによって、前期容器（１００）に内蔵された洗浄液が、前期貯液室（３１０）に貯蔵され、貯蔵された洗浄液が噴出孔（３１１）を通じて噴出されるようにするバルブ（５００）、（５１０）で構成されることが特徴である
前期のような構成で形成された鼻腔洗浄水の噴射容器は、容器（１００）の蓋（２００）にノズル（３００）が上側へスライドされるように結合されて、掛け部（３１０）に指をかけて反復的に押すことにより、内側のバルブ（５００）、（５１０）作用によって、洗浄液が噴出されるように構成されるもので、簡便に携帯して使用可能なことが特徴である。
【０００７】
しかし、前期のような鼻腔洗浄水の噴射容器は、掛け部（３１０）の上下移動を制限するためのロック手段が具備されていないので、バッグに保管して携帯時に使用者が操作していないにもかかわらず、掛け部（３１０）に圧力が加わり、洗浄液が流出されることによって、内容物が不必要に消耗することはもちろん、オーバーキャップの内部が汚染される問題点があった。
【発明の開示】
【発明が解決しようとする課題】
【０００８】
本発明は、上述した問題点を解決するために案出されたもので、本発明の目的は外キャップの一側回転を通じるロック機能を提供して、携帯時、外キャップが外部圧力によって加圧されることを根本的に遮断することで、洗浄水が不必要に消耗することを防止できるだけでなく、オーバーキャップの内部が汚染されることを防止できる鼻腔洗浄水の噴射容器を提供することである。
【課題を解決するための手段】
【０００９】
前期のような問題点を解決するために、本発明による鼻腔洗浄水の噴射容器は、内容物が収容される容器本体と；前期容器本体の上部を覆って結合され、側面にポンピング防止突起が突出形成される内キャップと；前期内キャップの上部を覆って回転可能なように結合され、回転による前期ポンピング防止突起の位置によって昇下降移動されるように構成される外キャップと；前期外キャップの昇下降移動によるポンピング作用を通じて内容物を外部へ排出するポンピング部材と；および前期外キャップの上部を覆って結合されるオーバーキャップと；を含むことを特徴とする。
【００１０】
また、前期外キャップは、前期内キャップの上部を覆って結合され、下端一部が切開されて回転によって前期ポンピング防止突起が挿入される挿入溝が形成される本体と、前期本体の上端中央部から上方向へ突出形成され、前期ポンピング部材と結合されて、ポンピング部材で圧力を加える結合管を含むことを特徴とする。
また、前期本体の内周面には、前期ポンピング防止突起が挿入されるポンピングガイド溝が形成され、前期ポンピングガイド溝は本体の下降によるポンピング防止突起との干渉が発生しないように、ポンピング防止突起と長さが同一であるか、もっと長く形成されることを特徴とする。
【００１１】
また、前期ポンピングガイド溝は外キャップの回転時に、前期ポンピング防止突起との干渉が発生しないように、一側が緩やかな傾斜面を形成するように構成されることを特徴とする。
【００１２】
また、前期本体の内周面には前期外キャップの回転時に、前期ポンピング防止突起との干渉が発生しないように緩やかな傾斜面を形成する回転ガイド突起が形成されることを特徴とする。
【００１３】
また、前期外キャップの外周面には回転方向を表示する回転表示部が形成されることを特徴とする。
【００１４】
また、前期内キャップの上部には前期外キャップの上昇を制限する係止突起が形成されて、前期外キャップの内側には前期係止突起と当接する部分に係止部が形成されることを特徴とする。
【発明の効果】
【００１５】
以上、上述したように本発明によると外キャップの一側回転を通じるロック機能を提供して、携帯時、外キャップが外部圧力によって加圧されることを根本的に遮断することで、洗浄水が不必要に消耗されることを防止できるだけではなく、オーバーキャップの内部が汚染されることを防止できる長所がある。
【図面の簡単な説明】
【００１６】
【図１】本発明の好ましい実施例に係る鼻腔洗浄水の噴射容器の構成を示す結合斜視図である。
【図２】本発明の好ましい実施例に係る鼻腔洗浄水の噴射容器の構成を示す分解斜視図である。
【図３】本発明の好ましい実施例に係る鼻腔洗浄水の噴射容器の構成を示す断面図である。
【図４】本発明の好ましい実施例に係る鼻腔洗浄水の噴射容器の外キャップの回転によるポンピング防止突起の位置を示す説明図である。
【図５】本発明の好ましい実施例に係る鼻腔洗浄水の噴射容器の外キャップの回転によるポンピング防止突起の位置を示す説明図である。
【図６】本発明の好ましい実施例に係る鼻腔洗浄水の噴射容器の外キャップの昇下降移動による内容物排出過程を示す説明図である。
【発明を実施するための形態】
【００１７】
以下、図面を参照して本発明を詳細に説明する。各図面に提示された同一な参照符号は同一な部材を示す。
【００１８】
図１は、本発明の好ましい実施例に係る鼻腔洗浄水の噴射容器の構成を示す結合斜視図であり、図２は本発明の好ましい実施例に係る鼻腔洗浄水の噴射容器の構成を示す分解斜視図である。
【００１９】
図３は、本発明の好ましい実施例に係る鼻腔洗浄水の噴射容器の構成を示す断面図であり、図４および５は、本発明の好ましい実施例に係る鼻腔洗浄水の噴射容器の外キャップの回転によるポンピング防止突起の位置を示す説明図である。
【００２０】
図１−５に示すように、本発明の好ましい実施例に係る鼻腔洗浄水の噴射容器は、容器本体（１００）、内キャップ（２００）、外キャップ（３００）、ポンピング部材（４００）、オーバーキャップ（５００）が含まれる。
【００２１】
前期容器本体（１００）は内容物が収容され、その上部に内容物が排出可能なように排出部（１１０）が形成され、排出部（１１０）の外周面には、後述する内キャップ（２００）とのねじ結合が可能なように第１ねじ山（１１１）が形成される。
【００２２】
前期内キャップ（２００）は、前期容器本体（１００）の上部を覆って排出部（１１０）に結合され、前期第１ねじ山（１１１）とねじ結合が可能なように内周面に第２ねじ山（２２０）が形成される。
【００２３】
本発明において、前期内キャップ（２００）の側面には後述する外キャップ（３００）の下方向移動を防止するポンピング防止突起（２１０）が突出形成されることが特徴で、前期ポンピング防止突起（２１０）は前期内キャップ（２００）の両側面から外側方向へ一対が突出形成されて、外キャップ（３００）の回転によって挿入溝（３１１）に挿入される場合、外キャップ（３００）の下方向移動を制限することで、ポンピング部材（４００）のポンピング作動が行われないようにすることで、内容物が排出されることを遮断するようになる。
【００２４】
前期ポンピング防止突起（２１０）には使用者がポンピング部材（４００）の作動が不可能なロック状態を認知するようにロック表示が表示されることが好ましい。
一方、前期内キャップ（２００）の上部には外キャップ（３００）が上方向へ移動して離脱されることを防止するように、外キャップ（３００）の上昇を制限する係止突起（２３０）が形成されることが好ましい。
【００２５】
前期外キャップ（３００）は前期内キャップ（２００）の上部を覆って回転可能なように結合され、使用者の加圧によって昇下降移動され、ポンピング部材（４００）に圧力を加えるもので、  本体（３１０）、結合管（３２０）を含む。
【００２６】
前期本体（３１０）は前期内キャップ（２００）の上部を覆って結合されるもので、本発明において、前期本体（３１０）には下端一部が切開されて、回転によって前期ポンピング防止突起（２１０）が挿入される挿入溝（３１１）が形成されることが特徴である。
【００２７】
前期挿入溝（３１１）は外キャップ（３００）の回転によって前期ポンピング防止突起（２１０）が挿入される場合、ポンピング防止突起（２１０）の上端と当接するように構成されてポンピング作用が行われないロック状態を維持するようにする。前期挿入溝（３１１）は一対のポンピング防止突起（２１０）が各々挿入されることが可能なように対向の一対で構成されることが好ましい。
【００２８】
また、前期本体（３１０）の内周面には前期ポンピング防止突起（２１０）が挿入される一対のポンピングガイド溝（３１２）が形成されることが特徴で、前期ポンピングガイド溝（３１２）は外キャップ（３００）をロック状態で９０度回転する場合、ポンピング防止突起（２１０）が挿入されるように構成されるが、ポンピング防止突起（２１０）が挿入された状態でポンピング防止突起（２１０）との干渉なしに外キャップ（３００）の昇下降移動によるポンピング作用が可能なようにポンピング防止突起（２１０）と長さが同一であるか、もっと長く形成されることが好ましい。
【００２９】
前期ポンピングガイド溝（３１２）は、外キャップ（３００）の回転時に前期ポンピング防止突起（２１０）との干渉が発生しないように、一側が緩やかな傾斜面を形成するように構成されるが、前期ポンピングガイド溝（３１２）の他側は外キャップ（３００）の逆方向回転が不可能なように垂直面を形成するように構成されることが良い。
【００３０】
前期外キャップ（３００）は一方向、すなわち、内キャップ（２００）の閉鎖方向へのみ回転されるように構成されることが特徴で、これにより、外キャップ（３００）の逆回転によって容器本体（１００）と内キャップ（２００）のねじ結合が解体されることを防止できるようになる。
【００３１】
一方、前期本体（３１０）の内周面には、ポンピング防止突起（２１０）が挿入溝（３１１）に挿入されたロック状態で外キャップ（３００）を回転する場合、前期ポンピング防止突起（２１０）との干渉なしに外キャップ（３００）の回転が容易なように緩やかな傾斜面を形成する回転ガイド突起（３１３）が形成されることが好ましい。
【００３２】
また、前期本体（３１０）の外周面には使用者が外キャップ（３００）の回転方向を認知するように回転方向を表示する回転表示部（３１４）が形成されることが良い。
【００３３】
また、前期外キャップ（３００）の内側には外キャップ（３００）が内キャップ（２００）から離脱されることを防止するように前期係止突起（２３０）と当接する部分に係止部（３１６）が形成される。
【００３４】
前期結合管（３２０）は前期本体（３１０）の上端中央部から上方向へ突出形成され、その内側にポンピング部材（４００）の上部が結合されることで、使用者の加圧による外キャップ（３００）の下降時にポンピング部材（４００）でその圧力を伝達してポンピング部材（４００）のポンピング作用を可能にする。
【００３５】
前期結合管（３２０）の上端にはポンピング部材（４００）のポンピング作用を通じて移動する内容物が排出される排出ホール（３２１）が形成され、前期排出ホール（３２１）の上部には内容物を外部へ排出させるノ−ズルチップ（３２２）が結合される。
【００３６】
前期ポンピング部材（４００）は、前期外キャップ（３００）の内側に結合され、外キャップ（３００）の昇下降移動によるポンピング作用を通じて、内容物を外部へ排出することで、その下端に容器本体（１００）に収容された内容物を吸入する吸入管（３１０）が結合される。前期ポンピング部材（４００）を形成する各構成は、本発明が属する技術分野で公知技術なので詳細な説明は省略する。
【００３７】
前期オーバーキャップ（５００）は前期外キャップ（３００）の結合管（３２０）を覆って結合されるもので、結合管（３２０）の下部に形成された結合突起（３２３）に結合されて、外部の衝撃からノ−ズルチップ（３２２）を保護する。
【００３８】
以下では図４−６を参照して、本発明の好ましい実施例に係る、鼻腔洗浄水の噴射容器の使用方法を説明する。
【００３９】
図４および５は、本発明の好ましい実施例に係る、鼻腔洗浄水の噴射容器の外キャップの回転によるポンピング防止突起の位置を示す説明図で、図６は本発明の好ましい実施例に係る、鼻腔洗浄水の噴射容器の外キャップの昇下降移動による内容物排出過程を示す説明図である。
【００４０】
図４−６を参照すると、本発明の好ましい実施例に係る鼻腔洗浄水の噴射容器は、最初、内キャップ（２００）のポンピング防止突起（２１０）が外キャップ（３００）の挿入溝（３１１）に挿入されたロック状態で、外キャップ（３００）を９０度回転させるようになると、ポンピングガイド溝（３１２）にポンピング防止突起（２１０）の挿入が行われることとなる。この時、外キャップ（３００）は回転ガイド突起（３１３）によってポンピング防止突起（２１０）と干渉なしに回転が行われるように構成される。
【００４１】
前期の通りに、ポンピングガイド溝（３１２）にポンピング防止突起（２１０）の挿入が行われると、ロック状態が解除されて外キャップ（３００）の昇下降移動が可能になり、使用者の加圧による外キャップ（３００）の昇下降移動によって、ポンピング部材（４００）のポンピング作用が発生して内容物の排出が行われる。この時、前期ポンピングガイド溝（３１２）は外キャップ（３００）の昇下降時にポンピング防止突起（２１０）によって干渉が発生しないように、ポンピング防止突起（２１０）と長さが同一であるか、もっと長く形成されることが好ましい。
【００４２】
図面と明細書で最適の実施例が開示された。ここで特定の用語らが用いられたが、これは単に本発明を説明するための目的で用いられたものであり、意味の限定や特許請求の範囲に記載された本発明の範囲を制限するために用いられたのではない。従って、当該技術分野の通常の知識を有する者であれば、多様な変形及び均等な他の実施例が可能であることを理解すべきである。したがって、本発明の真の技術的保護範囲は、添付された特許請求の範囲の技術的思想によって定められるべきである。
【図１】
2015516926.tif 000003
【図２】
2015516926.tif 000004
【図３】
2015516926.tif 000005
【図４】
2015516926.tif 000006
【図５】
2015516926.tif 000007
【図６】
2015516926.tif 000008
【国際調査報告】
2015516926.tif 000009
2015516926.tif 000010
2015516926.tif 000011
2015516926.tif 000012